(57)【要約】      （修正有）【課題】スポーツ等のような連続した動きのうちから任意の瞬間の姿勢を写真に残すことのできる撮像装置を提供する。【解決手段】撮像装置は、被写体の動きを連続して撮像するカメラ１と、カメラ１で撮像された画像データを記憶するメモリ２と、連続して撮像された被写体の画像を表示する表示部３と、表示部３で表示された画像の内から任意の画像を選択する選択手段４と、選択手段４で選択された画像をプリントアウトするプリンタ５とを備えた構成である。被写体として、スポーツ選手を選択することができる。又、被写体として、ペット等の動物を選択することができる。更に又、被写体として、自然界における動きの伴った自然現象を対象とすることができる。【選択図】図１
0003143894.tif 000002
【実用新案登録請求の範囲】
【請求項１】
被写体の動きを連続して撮像するカメラと、カメラで撮像された画像データを記憶するメモリと、連続して撮像された被写体の画像を表示する表示部と、表示部で表示された画像の内から任意の画像を選択する選択手段と、選択手段で選択された画像をプリントアウトするプリンタとを備えたことを特徴とする撮像装置。
【請求項２】
前記被写体は、スキーヤー等のスポーツ選手であることを特徴とする請求項１に記載の撮像装置。
【請求項３】
前記被写体は、ペット等の動物であることを特徴とする請求項１に記載の撮像装置。
【請求項４】
前記被写体は、自然界における動きを伴った自然現象であることを特徴とする請求項１に記載の撮像装置。
【考案の詳細な説明】
【技術分野】
【０００１】
本考案は、スポーツのような連続した動きのうちから、任意の瞬間の姿勢を選択して写真に残すことができる撮像装置に関するものである。
【背景技術】
【０００２】
例えば、スキーヤーは、ジャンプして空中を滑空している際の空中姿勢のうちから最も好ましい瞬間の姿勢を写真に残したいという希望がある。
【考案の開示】
【考案が解決しようとする課題】
【０００３】
スポーツに関する発明として特許文献１に記載のものがある。しかし、当該特許文献１には、スポーツをしている際の姿勢のうちから、最も好ましい瞬間の姿勢を写真に残せるようにした技術は開示されていない。
【０００４】
【特許文献１】特開２００７−３２３８０２号公報
【０００５】
このために、スポーツ選手が、スポーツをしている際の姿勢のうちから最も好ましい瞬間の姿勢を残すことができる技術が従来から望まれていた。
【０００６】
本考案は、前記背景技術の問題を解決するためになされたもので、その目的は、スポーツ等のような連続した動きのうちから任意の瞬間の姿勢を写真に残すことができるようにした撮像装置を提供することにある。
【課題を解決するための手段】
【０００７】
請求項１に記載の考案は、被写体の動きを連続して撮像するカメラ１と、カメラ１で撮像された画像データを記憶するメモリ２と、連続して撮像された被写体の画像を表示する表示部３と、表示部３で表示された画像のうちから任意の画像を選択する選択手段４と、選択手段４で選択された画像をプリントアウトするプリンタ５とを備えたことを特徴とするものである。
【０００８】
請求項２に記載の考案は、請求項１に記載の考案において、被写体はスキーヤー等のスポーツ選手であることを特徴とするものである。
【０００９】
請求項３に記載の考案は、請求項１に記載の考案において、被写体は、ペット等の動物であることを特徴とするものである。
【００１０】
請求項４に記載の考案は、請求項１に記載の考案において、被写体は、自然界における動きを伴った自然現象であることを特徴とするものである。
【考案の効果】
【００１１】
請求項１に記載の考案によれば、被写体の連続して撮像された複数の姿勢のうちから任意の瞬間の姿勢を選択してプリントアウトすることで、任意の瞬間の姿勢を残すことができる。
【００１２】
請求項２に記載の考案によれば、スポーツ選手の連続した動きのうちから任意の瞬間の姿勢を写真に残すことができる。
【００１３】
請求項３に記載の考案によれば、ペット等の動物の動きのうちから任意の瞬間の姿勢を写真に残すことができる。
【００１４】
請求項４に記載の考案によれば、自然界における動きを伴った自然現象のうちから任意の瞬間の姿勢を写真に残すことができる。
【考案を実施するための最良の形態】
【００１５】
図１乃至図４は第１実施形態を示す。図１は本装置の全体の構成を示す図である。図２は表示部３の表示画面が小さなエリア７に区分された状態を示す図である。図３は被写体としてのスキーヤーがジャンプをしている際の空中姿勢を連続して撮像した画像を示す。図４はフローチャートを示す。
【００１６】
本装置の全体の構成は、図１に示すように、被写体を連続して撮像することのできるカメラ１と、カメラ１で撮像された画像をデータとして保存するメモリ２と、画像を表示する表示部３と、表示部３に表示されている画像を選択する選択手段４と、選択手段４で選択された画像をプリントアウトするプリンタ５と、これらカメラ１、メモリ２、表示部３、選択手段４、及びプリンタ５の作動を制御するコンピュータ６とを備えた構成になっている。
【００１７】
前記コンピュータ６は所定のプログラムソフトを内蔵し、以下の制御を実行できるようになっている。
・  カメラ１を起動させる。
・  被写体をカメラ１で連続して撮像する。
・  カメラ１で撮像された画像データをメモリ２に送信してメモリ２に保存する。この場合、メモリ２では、カメラ１で連続して撮像された複数の画像は各画像毎にメモリ２のアドレスが指定されて保存される。
・  メモリ２に保存されている画像データを表示部３に表示する。
・  選択手段４で選択された画像をプリンタ５に送信し、プリンタ５でプリントアウトする。
【００１８】
前記カメラ１は、コンピュータ６に制御されて起動するようにしても良いが、例えば、被写体が所定の撮像エリア内に侵入したことを感知して起動し、以後、被写体の動きを自動的に連続して撮像できるカメラ１を用いることができる。又、カメラ１として、被写体の動きが比較的広い範囲に亘る場合には、広角を撮像できるカメラ１を用いることが好ましい。
【００１９】
前記表示部３としては、パソコンのディスプレイや、テレビジョン受像器のような画像表示手段を用いることができる。図２に示すように、表示部３の表示画面は複数のエリア７，７，７，７，７，・・に区分され、各エリア７毎に、メモリ２に保存されている各画像Ｇ１、Ｇ２、Ｇ３、Ｇ４、・・・（図３に示す）が表示されるようにすることができる。
【００２０】
前記メモリ２としては、ＲＡＭメモリ、ＤＶＤのような画像を保存できる手段が用いられるが、画像を書き換え可能に保存できるメモリ２を用いることが好ましい。
【００２１】
前記選択手段４としては、マウス、タッチペンのように、表示部３の各エリア７に表示されている各画像Ｇ１、Ｇ２、Ｇ３、Ｇ４、・・・を任意に選択できる手段が用いられる。
【００２２】
次に、作用について説明する。本装置は、スポーツ選手のような、動きの大きな被写体を複数回、連続して撮像し、撮像された複数の画像のうちから、任意の画像を選択してプリントアウトする場合に用いて好適である。以下の説明では、被写体として、ジャンプをするスキーヤーを選択した場合を例にして説明する。
【００２３】
先ず、被写体としてのスキーヤーがスキー場の所定の撮像エリア内に侵入し、図４に示すステップ１において、カメラ１が起動する。そして、スキーヤーがジャンプを開始すると、図３に示すように、カメラ１はスキーヤーのジャンプを連続して撮像する（ステップ２）。
【００２４】
ステップ３において、カメラ１で撮像された画像Ｇ１、Ｇ２、Ｇ３、Ｇ４、・・・は、各画像Ｇ１、Ｇ２、Ｇ３、Ｇ４、・・・毎にメモリ２のアドレスが選択されて保存される。
【００２５】
そして、ステップ４において、スキーヤーがスキー場の所定の撮像エリア外に出た場合に、カメラ１による撮像が停止される。
【００２６】
連続して撮像された各画像Ｇ１、Ｇ２、Ｇ３、Ｇ４、・・・は、ステップ５において、表示部３の区分された各エリア７，７，７，７，７，・・に表示される。
【００２７】
次に、表示部３の各エリア７に表示された各画像Ｇ１、Ｇ２、Ｇ３、Ｇ４、・・・のうちから、ステップ６において、スキーヤー自身が、選択手段４によって、任意の画像Ｇ１、Ｇ２、Ｇ３、Ｇ４、・・・を選択する。この場合、スキーヤーは例えば、自身が好ましいと思った画像Ｇ１、Ｇ２、Ｇ３、Ｇ４、・・・や、ジャンプ中の姿勢として矯正する必要のあると思った画像Ｇ１、Ｇ２、Ｇ３、Ｇ４、・・・を選択することができる。選択手段４では、一又は複数の画像Ｇ１、Ｇ２、Ｇ３、Ｇ４、・・・を選択することができる。
【００２８】
例えば、選択手段４がマウスで構成される場合には、選択すべき画像Ｇ１、Ｇ２、Ｇ３、Ｇ４、・・・が表示されている表示部３のエリア７にポインタを当てて、マウスをクリックすることによって、所望の画像Ｇ１、Ｇ２、Ｇ３、Ｇ４、・・・を選択することができる。又、選択手段４がタッチペンで構成される場合には、選択すべき画像Ｇ１、Ｇ２、Ｇ３、Ｇ４、・・・が表示されている表示部３のエリア７にタッチペンを当てることによって所望の画像Ｇ１、Ｇ２、Ｇ３、Ｇ４、・・・を選択することができる。
【００２９】
次に、ステップ６において選択された画像Ｇ１、Ｇ２、Ｇ３、Ｇ４、・・・は、ステップ７において、プリンタ５からプリントアウトされる。スキーヤーが仮に、図３に示す画像Ｇ３を選択した場合には、当該画像Ｇ３がプリンタ５からプリントアウトされる。
【００３０】
図５は第２実施形態を示す。第２実施形態の特徴は、被写体として、斜面を滑走するスキーヤーを選択した場合を示す。この第２実施形態においても、第１実施形態と同様に、スキーヤー自身が自己の複数の写真のうちから、好ましい写真や、姿勢を矯正する際に必要な写真を選択してプリントアウトすることができる。
【００３１】
以上の説明では、被写体として、ジャンプをしているスキーヤーや、斜面を滑走しているスキーヤーを例にして説明したが、ゴルファーがゴルフクラブをスイングしている際の姿勢を撮像する場合にも同様に適用できるものである。
【００３２】
又、本装置は、スポーツ以外の動きの中から任意の姿勢を選択して写真に残す場合にも適用できるものである。更に、本装置は、ペット等の動物の動きのなから所望する瞬間の動物の姿勢を選択して写真に残す場合にも適用できる。更に、本装置は、自然界における動きを伴った様々な自然現象のうちから所望する瞬間を選択して写真に残す場合にも適用できるものである。
【図面の簡単な説明】
【００３３】
【図１】図１は、本装置の全体構成を示す図である。（第１実施形態）
【図２】図２は、表示部の表示画面を示す図である。（第１実施形態）
【図３】図３は、スキーヤーがジャンプをしている状態の姿勢を連続して撮像した図である。（第１実施形態）
【図４】図４は、フローチャートを示す図である。（第１実施形態）
【図５】図５はスキーヤーが斜面を滑走している状態の姿勢を連続して撮像した図である。（第２実施形態）
【符号の説明】
【００３４】
１  カメラ
２  メモリ
３  表示部
４  選択手段
５  プリンタ
【図１】
0003143894.tif 000003
【図２】
0003143894.tif 000004
【図３】
0003143894.tif 000005
【図４】
0003143894.tif 000006
【図５】
0003143894.tif 000007